(57)【要約】【課題】コンパクトで、ほこりや周りの収納物を付着させることなく手軽に携帯でき、また市販の粘着テープを使用して継続使用できる粘着式ほこり取り具を提供する。【解決手段】互いに重なり合うように被覆板２，３の一端を蝶着する。被覆板２，３の相対向する内側には粘着テープ６が貼り付きにくい難粘着面２ａ，３ａを設ける。蝶着部４にテープ巻付け片５の基端部を蝶着し、これに巻き付けた粘着テープ６の表裏を被覆板２，３で被覆できる。携帯時には輪ゴム７で結束して粘着テープ６の不用意な露出を防止する。被覆板２，３を開放して粘着テープ６を露出させれば、ゴミを付着させることができる。テープ巻付け片５の上端部には粘着テープ６の巻き始め端部を挟んで係止する挟持部５ａを設ける。粘着テープ６を使い切ったら、市販の梱包用の粘着テープ等で補充できる。【選択図】      図１
2004313707.tif 000002
【特許請求の範囲】
【請求項１】
一端側で互いに蝶着され、互いに重合させた状態における対向面が難粘着面とされた一対の被覆板と、
これらの被覆板の難粘着面側に一端が蝶着され、一対の被覆板を重合させたときに被覆板によって表裏が被覆されるテープ巻付け片とを具備し、
このテープ巻付け片に、粘着面を外側にしてほこり取り用粘着テープを巻き付けることができるようにしたことを特徴とする粘着式ほこり取り具。
【請求項２】
前記テープ巻付け片は、前記一対の被覆板の蝶着部に共に蝶着されることを特徴とする請求項１に記載の粘着式ほこり取り具。
【請求項３】
前記テープ巻付け片は、粘着テープの巻き始め端部を挟んで係止する挟持部を有することを特徴とする請求項１又は２に記載の粘着式ほこり取り具。
【請求項４】
前記被覆板は、前記粘着テープを押し当てて切断可能な縁部を有することを特徴とする請求項１ないし３に記載の粘着式ほこり取り具。
【請求項５】
前記被覆板は、互いの重合状態を維持するための係止手段を有することを特徴とする請求項１ないし４に記載の粘着式ほこり取り具。
【発明の詳細な説明】
【０００１】
【産業上の利用分野】
本発明は、衣服や絨毯等に付着した毛玉、糸くず、繊維等のほこりを簡単に取り除き、手軽に携帯できる粘着式ほこり取り具に関するものである。
【０００２】
【従来の技術】
従来、粘着式ほこり取り具として、粘着紙を芯材に多重に巻き付けたローラを取手に回転自在に支持したもの（特許文献１）や、袋状の基体の外面に粘着面を設けて、中に手を差し込んで使用するもの（特許文献２）が知られている。
【特許文献１】特開平１０−２１６０６６号公報
【特許文献２】実開平１０−３２８１２５号公報
【０００３】
【発明が解決しようとする課題】
上記従来の粘着式ほこり取り具のうち前者は、厚みのある立体的な外形であるため、ポケットやバック等に収納して携帯するのには適さない。また、粘着ロール紙が、取手に適合する専用のものでなければならず、市販の梱包用の粘着テープ等を流用することができない。専用の粘着ロール紙は比較的高価である。
後者は、使用してほこりが粘着面に付着することによって、粘着性が低下しても粘着性を再生させることができないし、粘着紙の交換について何ら考慮されていない。
従って、本発明は、ポケットやバッグ等に収納しても嵩張らず、手軽に携帯でき、また市販の粘着テープを補充して、繰り返し使用することができ、さらに携帯時に安易にほこりや周りの収納物等に付着することがなく、取り出しの煩わしさもない、しかも簡易な構成で安価に粘着式ほこり取り具を提供することを課題としている。
【０００４】
【課題を解決するための手段】
上記課題を解決するため、この発明においては、一対の被覆板２，３と、これに蝶着されたテープ巻付け片５とを具備させて粘着式ほこり取り具１を構成する。一対の被覆板２，３は、一端側で互いに蝶着され、互いに重合させた状態における対向面が難粘着面２ａ，３ａとされる。一対の被覆板２，３の難粘着面２ａ，３ａ側に、テープ巻付け片５の一端が蝶着される。テープ巻付け片５には、粘着テープ６を粘着面を外側に向けて巻き付けることができる。テープ巻付け片５は、一対の被覆板２，３を重合させたときに、巻き付けた粘着テープ６と共に被覆板２，３によって表裏が被覆される。被覆板２，３間を閉じた状態で携帯し、開放した状態でテープ巻付け片５を粘着テープ６と共に露出させて使用する。粘着テープ６としては、市販の梱包用粘着テープ等を用いて補充し、繰り返し使用できる。
【０００５】
【発明の実施の形態】
本発明の実施の一形態を図面を参照して説明する。図１において、粘着式ほこり取り具１は、比較的堅牢な厚紙又は硬質合成樹脂、あるいはこれらを心材として被覆材で被覆した矩形板で形成された一対の被覆板２，３を備えている。これら被覆板２，３は一端側で互いに蝶着されている。被覆板２，３の相対向する内側には粘着テープが貼り付きにくい難粘着面２ａ，３ａが形成されている。
【０００６】
被覆板２，３の蝶着部４にはテープ巻付け片５の一端部が被覆板２，３と共に蝶着されている。このテープ巻付け片５は、被覆板２，３を折り重ねたときに、これに巻かれる粘着テープ６と共に被覆板２，３によって表裏が被覆される。テープ巻付け片５の上端部には、粘着テープ６の巻き始め端部を挟んで係止する袋状の挟持部５ａを有する。なお、挟持部５ａは、粘着テープの巻き始め端部を係止できるものであればよく、対向する一対の板状片で挟み込むように構成してもよい。テープ巻付け片５は、被覆板２，３で挟んだときに、その外縁が被覆板２，３の外縁より内側に配置されるよう、特に粘着テープの巻き方向の幅が被覆板２，３の幅より小さく設定されている。このため、テープ巻付け片５を被覆板２，３で挟んだ状態で、粘着テープ６の使用済み部分をテープ巻付け片５からはがして被覆板２，３の外側へ延出させ、被覆板２，３の縁に押し当てて切断すると、切断した端部がテープ巻付け片５の端縁からわずかに突出した状態になる。この突出部は、次にテープの使用済み部をはがすときの手がかりとなる。
【０００７】
テープ巻付け片５には、粘着面を外側にして粘着テープ６を扁平に複数回巻き付ける。粘着テープ６としては、市販の梱包用の粘着テープを用いることができるが、これに限定されない。
【０００８】
被覆板２，３には輪ゴム７を取り付けておき、図２に示すように不使用時に被覆板２，３を結束して、携帯時の不用意な開放を防止する。
【０００９】
本実施形態の粘着式ほこり取り具１においては、厚みの小さい被覆板２，３及びテープ巻付け片５を重ね合わせる構成としたので、平面的で嵩張ることがない。従って、ポケットやバッグ等への収納に適し、外出等に手軽に携帯できる。収納するときには、被覆板２，３を折り畳んで粘着テープ６を巻いたテープ巻付け片５をその間に挟めば、粘着テープ６の表裏が被覆される。従って、粘着テープ６が他の物品や収納部と接触することがなく、取り出しの煩わしさを回避できるし、粘着テープ６の粘着力を維持できる。また、被覆板２，３に粘着テープ６が接触しても、難粘着面２ａ，３ａにより互いに強固に貼り付くことがなく、被覆板２，３の開放を妨げないし、粘着テープ６の粘着力を低下させない。
【００１０】
この粘着式ほこり取り具１で所要箇所に付着した糸くず、繊維、毛玉等のほこりを除去するには、輪ゴム７を外して被覆板２，３を開き、テープ巻付け片５に巻いた粘着テープ６を露出させる。粘着テープ６を衣服の表面等に押し当てて、ほこりを付着させる。粘着テープ６はテープ巻付け片５が芯材となって補強されるので適度な剛性をもって使用できる。
【００１１】
粘着テープ６はテープ巻付け片５の表裏の部分を使用できる。ほこりが粘着面に付着することによって粘着力が低下した場合には、使用済み部分を剥がして切り取れば、下の新たな粘着面を露出できるので、継続して使用できる。このとき、図３に示すように、粘着テープ６の使用済み部分を剥がして、被覆板２，３の上下の縁２ｂ，３ｂに押し当てれば、切れ目を揃えて直線的にきれいに、かつ容易に切り取ることができる。粘着テープ６を使い切ったら、新たに市販の粘着テープ６をテープ巻付け片５に複数回巻いて補充できる。
【００１２】
他の実施形態の粘着式ほこり取り具８を図４に示す。この粘着式ほこり取り具８においては、互いに蝶着した一対の被覆板９，１０のうちの一方９にテープ巻付け片１２が設けられている。即ち、テープ巻付け片１２は、被覆板９における蝶着部１１と別部位の隣接縁９ｃに蝶着されている。被覆板９，１０の内側には、互いに係合して重合状態を維持するための係止手段である面ファスナ１４が設けられている。
【００１３】
この粘着式ほこり取り具８においても、厚みの小さい被覆板９，１０及びテープ巻付け片１２を重ね合わせて、コンパクトに収納できる。収納するときには、被覆板９，１０によってテープ巻付け片１２に巻いた粘着テープ１３の表裏が被覆される。被覆板９，１０には難粘着面９ａ，１０ａによって粘着テープ１３が強固に貼り付くことがない。面ファスナ１４，１４を外して被覆板９，１０を開き、粘着テープ１３を露出させれば、ほこりを付着させることができる。粘着テープ１３はテープ巻付け片１２の表裏の部分を使用でき、ほこりが粘着面に付着することによって粘着力が低下した場合には、使用済み部分を剥がして被覆板９，１０の縁９ｂ，１０ｂで切り取り、下の新たな粘着面に代えることができる。粘着テープ１３を使い切ったら、新たに市販の粘着テープ１３をテープ巻付け片１２に巻いて補充できる。
【００１４】
【発明の効果】
以上のように本発明は、粘着式ほこり取り具を平面的にコンパクトに構成でき、ポケットやバッグ等に収納しても嵩張ることなく手軽に携帯できる。ほこりを付着させる粘着テープは市販のものを補充することができる。携帯時には被覆板で粘着テープを被覆できるので、安易にほこりや周りの収納物等を付着させることがなく、取り出しの煩わしさもない。簡易な構成で安価に提供できる等の効果を有する。
テープ巻付け片の挟持部に粘着テープの巻き始め端部を挟んで係止すれば、粘着テープの一端部を固定でき、粘着テープの巻き取りが容易である。
被覆板に粘着テープを押し当てて切断する縁部を設ければ、粘着テープの使用済み部分をきれいにかつ容易に切断できる。
被覆板に係止手段を設ければ、不用意な展開を確実に防止できる。
【図面の簡単な説明】
【図１】本発明に係る粘着式ほこり取り具の展開状態の斜視図である。
【図２】携帯用粘着式ほこり取り具の折り畳み状態の斜視図である。
【図３】使用済み粘着テープを切り取る状態の携帯用粘着式ほこり取り具の斜視図である。
【図４】他の実施形態の粘着式ほこり取り具の展開状態の斜視図である。
【符号の説明】
１    粘着式ほこり取り具
２    被覆板
２ａ  難粘着面
２ｂ  切断縁
３    被覆板
３ａ  難粘着面
３ｂ  切断縁
４    蝶着部
５    テープ巻付け片
５ａ  挟持部
６    粘着テープ
７    輪ゴム
８    粘着式ほこり取り具
９    被覆板
９ａ  難粘着面
９ｂ  切断縁
９ｃ  蝶着縁
１０    被覆板
１０ａ  難粘着面
１０ｂ  切断縁
１１    蝶着部
１２    テープ巻付け片
１２ａ  挟持部
１３    粘着テープ
１４    面ファスナ
【図１】
2004313707.tif 000003
【図２】
2004313707.tif 000004
【図３】
2004313707.tif 000005
【図４】
2004313707.tif 000006